(57)【特許請求の範囲】
【請求項１】
前後方向に間隔を開けて複数のアーチ状フレームを配置し、同アーチ状フレーム上にビニールシートを張設してアーチ状屋根部を形成し、同アーチ状屋根部のビニールシートをビニールシート押さえ装置により押さえるようにしたビニールハウス棟において、
ビニールシート押さえ装置は、アーチ状屋根部の左右側方位置において、同アーチ状屋根部に沿わせて前後方向に伸延する左右一対の回転芯体と、両回転芯体間に前後方向に間隔を開けて連結した複数の煽り防止体と、これら複数の煽り防止体を一体的に緊張・弛緩させるべく回転芯体を正・逆回転させるための回転操作手段とを装備し、
回転操作手段は、回転芯体に連動連結して、同回転芯体を一体的に正・逆回転させるべく支持された回転支軸と、同回転支軸の逆回転を防止する逆回転防止機構と、同逆回転防止機構の逆回転防止機能を解除する逆回転防止解除機構とを具備すると共に、
逆回転防止解除機構に悪戯等防止部を設け、同逆回転防止解除機構による逆回転防止機能の解除操作に先立って悪戯等防止部を操作しなければ、逆回転防止機能が解除されないようにしたことを特徴とするビニールハウス棟。
【請求項２】
逆回転防止機構は、回転支軸の外周面にラチェット歯車を同軸的に取り付ける一方、同ラチェット歯車の近傍位置にラチェット爪の基端部を枢支すると共に、同ラチェット爪の先端部に形成した爪部をラチェット歯車に噛合させて、回転支軸の逆回転を防止可能とし、
逆回転防止解除機構は、ラチェット歯車の近傍位置に連動アームの基端部を枢支すると共に、同連動アームの先端部とラチェット爪の先端部との間に引張スプリングを介設する一方、連動アームの基端部に解除操作レバーの基端部を連動連設し、同解除操作レバーを弾性手段により回転付勢して、同解除操作レバーに連動連設した連動アームと引張スプリングとを介してラチェット爪の爪部がラチェット歯車に噛合する方向に弾性付勢し、かつ、解除操作レバーの解除方向への回転操作に連動して、ラチェット爪の弾性付勢を解除可能とし、
悪戯等防止部は、ラチェット歯車を正回転させて、ラチェット爪の爪部を噛合解除方向へ回動移動させると共に、ラチェット歯車の歯先をラチェット爪の爪部の先端回動軌跡よりも上方位置まで回転移動可能とし、同回転移動操作がなされたところで、解除操作レバーが解除操作された場合にのみ、ラチェット歯車からラチェット爪が噛合解除されるようにしたことを特徴とする請求項１記載のビニールハウス棟。
【請求項３】
回転支軸に、同回転支軸を介してラチェット歯車を正・逆回転操作するための回転操作ハンドルを着脱自在に取り付けたことを特徴とする請求項２記載のビニールハウス棟。
【発明の詳細な説明】
【０００１】
【発明の属する技術分野】
本発明は、ビニールハウス棟に関する。
【０００２】
【従来の技術】
従来、ビニールハウス棟の一形態として、前後方向に間隔を開けて複数のアーチ状フレームを配置し、同アーチ状フレーム上にビニールシートを張設してアーチ状屋根部を形成し、同アーチ状屋根部のビニールシートをビニールシート押さえ装置により押さえるようにしたものがある。
【０００３】
そして、ビニールシート押さえ装置は、アーチ状屋根部の左右側方位置において、同アーチ状屋根部に沿わせて前後方向に伸延する左右一対の回転芯体と、両回転芯体間に前後方向に間隔を開けて連結した複数の煽り防止体と、同煽り防止体を一体的に緊張・弛緩させるべく回転芯体を正・逆回転させるための回転操作手段とを装備している。
【０００４】
このようにして、回転操作手段を正・逆回転操作することにより、回転芯体を正・逆回転させて、複数の煽り防止体を回転芯体を介して一体的に緊張・弛緩させることができるようにしている。
【０００５】
【発明が解決しようとする課題】
ところが、上記した回転操作手段では、複数の煽り防止体を回転芯体を介して一体的に緊張・弛緩させることができるものの、子供の悪戯等により容易に回転芯体を逆回転させることができるために、複数の煽り防止体が一体的に弛緩されて、ビニールシートが風を受けてはがされるという不具合を生じる虞がある。
【０００６】
【課題を解決するための手段】
そこで、本発明では、前後方向に間隔を開けて複数のアーチ状フレームを配置し、同アーチ状フレーム上にビニールシートを張設してアーチ状屋根部を形成し、同アーチ状屋根部のビニールシートをビニールシート押さえ装置により押さえるようにしたビニールハウス棟において、ビニールシート押さえ装置は、アーチ状屋根部の左右側方位置において、同アーチ状屋根部に沿わせて前後方向に伸延する左右一対の回転芯体と、両回転芯体間に前後方向に間隔を開けて連結した複数の煽り防止体と、これら複数の煽り防止体を一体的に緊張・弛緩させるべく回転芯体を正・逆回転させるための回転操作手段とを装備し、回転操作手段は、回転芯体に連動連結して、同回転芯体を一体的に正・逆回転させるべく支持された回転支軸と、同回転支軸の逆回転を防止する逆回転防止機構と、同逆回転防止機構の逆回転防止機能を解除する逆回転防止解除機構とを具備すると共に、逆回転防止解除機構に悪戯等防止部を設け、同逆回転防止解除機構による逆回転防止機能の解除操作に先立って悪戯等防止部を操作しなければ、逆回転防止機能が解除されないようにしたことを特徴とするビニールハウス棟を提供するものである。
【０００７】
また、本発明は、次の構成にも特徴を有する。
【０００８】
（１）逆回転防止機構は、回転支軸の外周面にラチェット歯車を同軸的に取り付ける一方、同ラチェット歯車の近傍位置にラチェット爪の基端部を枢支すると共に、同ラチェット爪の先端部に形成した爪部をラチェット歯車に噛合させて、回転支軸の逆回転を防止可能とし、逆回転防止解除機構は、ラチェット歯車の近傍位置に連動アームの基端部を枢支すると共に、同連動アームの先端部とラチェット爪の先端部との間に引張スプリングを介設する一方、連動アームの基端部に解除操作レバーの基端部を連動連設し、同解除操作レバーを弾性手段により回転付勢して、同解除操作レバーに連動連設した連動アームと引張スプリングとを介してラチェット爪の爪部がラチェット歯車に噛合する方向に弾性付勢し、かつ、解除操作レバーの解除方向への回転操作に連動して、ラチェット爪の弾性付勢を解除可能とし、悪戯等防止部は、ラチェット歯車を正回転させて、ラチェット爪の爪部を噛合解除方向へ回動移動させると共に、ラチェット歯車の歯先をラチェット爪の爪部の先端回動軌跡よりも上方位置まで回転移動可能とし、同回転移動操作がなされたところで、解除操作レバーが解除操作された場合にのみ、ラチェット歯車からラチェット爪が噛合解除されるようにしたこと。
【０００９】
（３）回転支軸に、同回転支軸を介してラチェット歯車を正・逆回転操作するための回転操作ハンドルを着脱自在に取り付けたこと。
【００１０】
【発明の実施の形態】
以下に、本発明の実施の形態について説明する。
【００１１】
すなわち、本発明に係るビニールハウス棟は、基本的構造として、前後方向に間隔を開けて複数のアーチ状フレームを配置し、同アーチ状フレーム上にビニールシートを張設してアーチ状屋根部を形成し、同アーチ状屋根部のビニールシートをビニールシート押さえ装置により押さえるようにしている。
【００１２】
そして、特徴的構造として、ビニールシート押さえ装置は、アーチ状屋根部の左右側方位置において、同アーチ状屋根部に沿わせて前後方向に伸延する左右一対の回転芯体と、両回転芯体間に前後方向に間隔を開けて連結した複数の煽り防止体と、これら複数の煽り防止体を一体的に緊張・弛緩させるべく回転芯体を正・逆回転させるための回転操作手段とを装備し、回転操作手段は、回転芯体に連動連結して、同回転芯体を一体的に正・逆回転させるべく支持された回転支軸と、同回転支軸の逆回転を防止する逆回転防止機構と、同逆回転防止機構の逆回転防止機能を解除する逆回転防止解除機構とを具備すると共に、同逆転防止解除機構に、逆転防止解除機能を抑制する悪戯等防止部を設けている。
【００１３】
すなわち、逆回転防止機構は、回転支軸の外周面にラチェット歯車を同軸的に取り付ける一方、同ラチェット歯車の近傍位置にラチェット爪の基端部を枢支すると共に、同ラチェット爪の先端部に形成した爪部をラチェット歯車に噛合させて、回転支軸の逆回転を防止可能としている。
【００１４】
そして、逆回転防止解除機構は、ラチェット歯車の近傍位置に連動アームの基端部を枢支すると共に、同連動アームの先端部とラチェット爪の先端部との間に引張スプリングを介設する一方、連動アームの基端部に解除操作レバーの基端部を連動連設し、同解除操作レバーを弾性手段により回転付勢して、同解除操作レバーに連動連設した連動アームと引張スプリングとを介してラチェット爪の爪部がラチェット歯車に噛合する方向に弾性付勢し、かつ、解除操作レバーの解除方向への回転操作に連動して、ラチェット爪の弾性付勢を解除可能としている。
【００１５】
また、悪戯等防止部は、逆回転防止解除機構によりラチェット爪の弾性付勢が解除される操作に先立って、ラチェット歯車を回転支軸を介して正回転させなければ、同ラチェット歯車とラチェット爪の爪部との噛合が解除されないようにしている。
【００１６】
しかも、回転支軸には、同回転支軸を介してラチェット歯車を正・逆回転操作するための回転操作ハンドルを着脱自在に取り付けている。
【００１７】
【実施例】
以下に、本発明の実施例を、図面を参照しながら説明する。
【００１８】
図1及び図２に示すＡは、本発明に係るビニールハウス棟であり、同ビニールハウス棟Ａは、ビニールハウス棟本体１とアーチ状屋根部２とから形成して、複数のビニールハウス棟Ａを左右方向に複数連続させて配置している。
【００１９】
そして、左右方向に隣接するアーチ状屋根部2,2の間には谷部３を形成して、各谷部３にビニールシート押さえ装置Ｂを配設している。
【００２０】
ここで、ビニースハウス棟本体１は、地上に多数の支柱４を前後左右方向に一定の間隔を開けて立設し、前側において隣接する支柱4,4間と後側において隣接する支柱4,4間にそれぞれ前・後側支持枠体5,5を立設すると共に、各前・後側支持枠体5,5にビニールシートＣを張設して前・後壁部6,6を形成している。７は、前・後壁部6,6にそれぞれ開閉自在に設けた扉部である。
【００２１】
アーチ状屋根部２は、ビニールハウス棟本体１の左右側部間に、前後方向に間隔を開けて複数のアーチ状フレーム８を配置し、同アーチ状フレーム８上にビニールシートＣを張設して形成しており、同アーチ状屋根部２のビニールシートＣは、ビニールシート押さえ装置Ｂにより押さえるようにしている。９は、前後方向に伸延させて形成した連結フレームであり、同連結フレーム９は、複数のアーチ状フレーム8,8間に円周方向に間隔を開けて複数横架状に連結している。
【００２２】
ビニールシート押さえ装置Ｂは、図９にも示すように、前後方向に伸延させて形成し、かつ、アーチ状屋根部２の左右側方位置に形成した谷部3,3に配置した樋体10,10と、各樋体10,10内にそれぞれ前後方向に一定の間隔を開けて配置した回転芯体受け体11,11と、前後方向に隣接する回転芯体受け体11,11間に架設状に配置すべく、アーチ状屋根部２の左右側方位置において、同アーチ状屋根部２に沿わせて前後方向に伸延させて形成した左右一対の回転芯体12,12と、両回転芯体12,12間に前後方向に間隔を開けて連結した複数の煽り防止体13と、これら複数の煽り防止体13を一体的に緊張・弛緩させるべく回転芯体12を正・逆回転させるための回転操作手段14とを装備している。35は、樋体10の前端部に連設した集水体、36は、集水体35の底部より下方へ向けて伸延させて連通連設した排水パイプである。
【００２３】
回転操作手段14は、図３〜図７に示すように、樋体10の前端部に四角形箱形に形成したケース体15をケース体ステー16を介して上下位置調節自在に取付け、同ケース体15の前後壁15a,15b間に、前後方向に伸延する筒状の回転支軸17をボス部18,19を介して前後貫通状態に横架すると共に、同回転支軸17を前後方向の軸線廻りに正・逆回転自在となす一方、ケース体15内に、回転支軸17の逆回転を防止する逆回転防止機構20と、同逆回転防止機構20の逆回転防止機能を解除する逆回転防止解除機構21とを配設すると共に、同逆転防止解除機構21に、逆転防止解除機能を抑制する悪戯等防止部22を設けている。16aは上下位置調節孔である。
【００２４】
回転支軸17は、内周面の断面形状を六角形に形成しており、前端部17a中には、回転操作ハンドル23の基端部に形成した嵌合基部23aを抜き差し自在（着脱自在）に嵌合して、同回転操作ハンドル23により回転支軸17を正・逆回転操作可能とする一方、後端部17b中には、回転芯体12の前端部に形成した嵌合端部12aを雄型連動連結体12bと雌型連動連結体12cとを介して抜き差し自在（着脱自在）に嵌合して、同回転芯体12を回転支軸17に連動連結することにより、同回転芯体12を回転支軸17と一体的に正・逆回転させることができるようにしている。
【００２５】
逆回転防止機構20は、回転支軸17の外周面にラチェット歯車33を同軸的に取り付ける一方、同ラチェット歯車33の近傍位置である上部左側方位置のケース体15の部分に、ラチェット爪24の基端部を前後方向に軸線を向けた枢軸25を介して枢支すると共に、同ラチェット爪24の先端部に形成した爪部24aをラチェット歯車33に噛合させて、回転支軸17の逆回転を防止可能としている。26はラチェット爪干渉回避口である。
【００２６】
逆回転防止解除機構21は、ラチェット歯車33の近傍位置である下部右側方位置のケース体15の部分に、連動アーム27の基端部を前後方向に軸線を向けた枢支ピン34を介して枢支すると共に、同連動アーム27の先端部とラチェット爪24の先端部との間に引張スプリング28を介設する一方、連動アーム27の基端部に解除操作レバー29の基端部を連動連設し、同解除操作レバー29の基端部とケース体15の左側壁15cの上部に突設した係止片30との間に、弾性手段としてのレバー復帰用引張スプリング31を介設して、同レバー復帰用引張スプリング31により解除操作レバー29を、ケース体15の左側壁15cに形成したレバー突出口32より左側外方へ略水平に突出させた非解除位置（ａ）に保持させるべく回転付勢している。
【００２７】
このようにして、レバー復帰用引張スプリング31により解除操作レバー29を非解除位置（ａ）に保持すべく弾性付勢すると共に、同解除操作レバー29に連動連設した連動アーム27の先端部とラチェット爪24の先端部との間に介設した引張スプリング28により、ラチェット爪24の爪部24aがラチェット歯車33に噛合すべく左側方向に弾性付勢して、ラチェット歯車33を回転操作ハンドル23により回転支軸17を介して、図６に示す正面図にて反時計廻り（正回転）にのみ回転操作可能としている。
【００２８】
そして、解除操作レバー29の解除方向ｂへの回転操作に連動して、引張スプリング28によるラチェット爪24の弾性付勢を解除可能としている。
【００２９】
悪戯等防止部22は、上記した逆回転防止解除機構21の解除操作レバー29によるラチェット爪24の弾性付勢が解除される操作に先立って、ラチェット歯車33を回転支軸17を介して正回転させなければ、同ラチェット歯車33とラチェット爪24の爪部24aとの噛合が解除されないようにしている。
【００３０】
すなわち、図６に示すように、実線で示すラチェット歯車33を反時計廻りに正回転させると、同ラチェット歯車33は一点鎖線で示すように回転移動すると共に、ラチェット爪24の爪部24aを枢軸25を中心に噛合解除方向である右側方へ回動移動させて、ラチェット歯車33の歯先33aがラチェット爪24の爪部24aの先端回動軌跡Ｋよりも上方位置まで回転移動されたところで、解除操作レバー29が解除操作された場合にのみ、ラチェット歯車33からラチェット爪24が噛合解除されるようにしている。
【００３１】
このようにして、単に解除操作レバー29を解除操作しただけでは、ラチェット歯車33の逆回転操作が行えないようにすると共に、かかるラチェット歯車33を逆回転操作する際には、回転操作ハンドル23によりラチェット歯車33を回転支軸17を介して一旦正回転操作しなければならないようにして、悪戯等によりラチェット歯車33が簡単に正・逆回転することがないようにしている。
【００３２】
また、上記のように構成した回転操作手段14は、樋体10の後端部にも設け、前後に対向する回転支軸17,17間に回転芯体12を横架状に連結して、適宜前後いずれか一方の回転支軸17を回転操作ハンドル23により正・回転させることにより、回転芯体12に連結した複数の煽り防止体13を一体的に緊張・弛緩させることができるようにしている。
【００３３】
なお、本実施例では樋体10の前後端部にそれぞれ回転操作手段14,14を設けているが、いずれか一方は回転支軸17を回転自在に支持した構造のものでもよい。
【００３４】
前記した回転芯体受け体11は、図８〜図10に示すように、樋体10に取り付けるべく左右方向に伸延させて形成した取付片40と、同取付片40の左右側端部よりそれぞれ外側上方へ向けて立ち上げた立ち上げ片41,41と、各立ち上げ片41,41の上端部に連設した半円弧状の回転芯体係止片42,42と、左右の立ち上げ片41,41の下部間に横架した回転芯体受け片43とから形成しており、同回転芯体受け片43は、左右側部を段付き凹状に屈曲させて、左右の立ち上げ片41,41との間に回転芯体受け用凹部44,44を形成している。45は取付ボルト孔、46は取付ボルトである。
【００３５】
このようにして、各回転芯体受け用凹部44に回転芯体12の中途部を上方より載置することができるようにしている。また、回転芯体係止片42に回転芯体12の中途部を下方より係止することができるようにしている。
【００３６】
次に、上記のように構成したビニールシート押さえ装置Ｂによりアーチ状屋根部２を形成する複数のアーチ状フレーム８上にビニールシートＣを張設する作業の手順を、図９〜図14を参照しながら説明する。
【００３７】
▲１▼図９に示すように、アーチ状フレーム８の左右側方に配置されている樋体10,10内において、前後方向に一定の間隔を開けて設置した回転芯体受け体11,11,11,11間に、それぞれ前後方向に伸延する左右一対の回転芯体12,12を横架状に配置する。
【００３８】
▲２▼図10に示すように、前後方向に伸延する左右一対の回転芯体12,12に、複数の煽り防止体13の左右側端部を連結片49,49を介して連結する。
【００３９】
ここで、煽り防止体13は細幅帯状に形成する一方、連結片50は断面Ｃ字状に形成して回転芯体12に着脱自在に嵌合させるようにして、煽り防止体13の各側端部を連結片50を介して回転芯体12に着脱自在に連結可能としている。
【００４０】
▲３▼図11に示すように、複数の煽り防止体13を連結した左右一対の回転芯体12,12を、一旦、回転芯体受け体11,11から離脱させて、上方に配置する。
【００４１】
▲４▼図12に示すように、束ねたビニールシートＣを樋体10の側縁部に沿わせて載置する。
【００４２】
▲５▼図13に示すように、各回転芯体12,12を、回転芯体受け体11,11の回転芯体受け用凹部44,44間に載置する。
【００４３】
▲６▼図14に示すように、複数のアーチ状フレーム８上に、束ねているビニールシートＣを伸張させる。
【００４４】
▲７▼図14に示すように、各回転芯体12,12の前後端部を、樋体10の前後端部にそれぞれ設けた回転操作手段14,14の回転支軸17,17に横架状に連動連結する。
【００４５】
▲８▼図14に示すように、回転支軸17の前端部17a中に、回転操作ハンドル23の基端部に形成した嵌合基部23aを嵌合すると共に、同回転操作ハンドル23を正回転させることにより、複数の煽り防止体13を回転芯体12を介して一体的に緊張させて、アーチ状フレーム８上に伸張させているビニールシートＣを均等に押さえることができる。ここで、悪戯等による操作を防止するために、回転操作ハンドル23を回転支軸17から取り外しておく。
【００４６】
以上のようにして、ビニールシートＣの張設作業を簡単に完了させることができる。
【００４７】
また、ビニールシートＣの取り外し作業や、同ビニールシートＣを一部開放させる作業を行うために、煽り防止体13を弛緩させる際には、回転操作ハンドル23によりラチェット歯車33を回転支軸17を介して一旦正回転操作すると共に、解除操作レバー29を解除操作することにより、ラチェット歯車33へのラチェット爪24の噛合が解除されて、同状態にて回転操作ハンドル23の逆回転操作が可能となり、同回転操作ハンドル23を逆回転操作することにより、複数の煽り防止体13を回転芯体12を介して一体的に弛緩させることができる。なお、作業終了後は、悪戯等による操作を防止するために、回転操作ハンドル23を回転支軸17から取り外しておく。
【００４８】
また、本実施例では、一つの樋体10に、左側方のアーチ状フレーム８にビニールシートＣを張設するビニールシート押さえ装置Ｂの回転芯体12や回転操作手段14と、右側方のアーチ状フレーム８にビニールシートＣを張設するビニールシート押さえ装置Ｂの回転芯体12や回転操作手段14とを左右に並列させてコンパクトに配置して、左右に隣接するアーチ状屋根部2,2のビニールシートC,Cの張設・張替作業がスムーズに行えるようにしている。
【００４９】
この際、左右側の回転芯体12,12は、一つの回転芯体受け体11により支持することができるようにして、構造の簡易化とコンパクト化を図っている。
【００５０】
図15は、前記した回転芯体受け体11の変容例を示しており、同回転芯体受け体11は、前記した回転芯体受け体11と基本的構造を同じくしているが、左右の立ち上げ片41,41の下部間に横架した回転芯体受け片43の形状が異なる。
【００５１】
すなわち、回転芯体受け片43は、上方へ突状の山型に形成して、左右の立ち上げ片41,41との間に回転芯体受け用凹部44,44を形成している。
【００５２】
このようにして、形状簡易にして、回転芯体12の支持機能を良好に確保することができるようにしている。
【００５３】
図16及び図17は、ビニールハウス棟Ａの内面に生じる結露Ｄ等を受けて所定の排出場所に排出する結露等受樋50の取付状態を示しており、同結露等受樋50は、アーチ状フレーム８に受樋取付具51により着脱自在に取り付けている。
【００５４】
そして、受樋取付具51は、図18〜図20にも示すように、結露等受樋50の前壁50aをアーチ状フレーム８側に押圧する前壁押圧部52と、アーチ状フレーム８に取り付ける取付部53と、結露等受樋50の底部50bを下方より受ける底部受け部54と、結露等受樋50の後壁50cをアーチ状フレーム８側に押圧する後壁押圧部55と、結露等受樋50の底部50bと後壁50cとを上方より押圧して、底部受け部54及び後壁押圧部55と協働して結露等受樋50を狭持する底部・後壁押圧部56とを具備ししており、これら前壁押圧部52と取付部53と底部受け部54と後壁押圧部55と底部・後壁押圧部56は、弾性力を有する一本の線材を屈曲させて一体成形している。60はビニールシート止め体、61は止め体固定具、62は補強用骨材である。
【００５５】
すなわち、前壁押圧部52は、線材の中途部52aをＵ字状に屈曲させて左右側前壁押圧部形成片52b,52bを形成している。
【００５６】
取付部53は、両左右側前壁押圧部形成片52b,52bの左右側上端部より前方へ向けて半円弧状に屈曲させて左右側上部取付部形成片53a,53aを形成し、両左右側上部取付部形成片53a,53aの前端部より下方へ伸延させて左右前側取付部形成片53b,53bを形成し、両左右前側取付部形成片53b,53bの下端部より後方へ向けて半円向上に屈曲させて左右側下部取付部形成片53c,53cを形成している。
【００５７】
底部受け部54は、両左右側下部取付部形成片53c,53cの後端部より後方へ向けて交差状に伸延させて左右側底部受け片54a,54aを形成している。
【００５８】
後壁押圧部55は、両左右側底部受け片54a,54aの後端部より後上方へ向けて伸延させて左右側後壁受け片55a,55aを形成している。
【００５９】
底部・後壁押圧部56は、両左右側後壁受け片55a,55aの上端部より左右側下方へ向けて交差状に伸延させて左右側底部・後壁押圧部形成片56a,56aを形成している。
【００６０】
このようにして、アーチ状フレーム８の所望の位置に取付部53を嵌合させて取り付け、結露等受樋50の前壁50aを前壁押圧部52によりアーチ状フレーム８側に押圧させ、結露等受樋50の底部50bを底部受け部54により下方より受け、結露等受樋50の後壁50cを後壁押圧部55によりアーチ状フレーム８側に押圧させ、結露等受樋50の底部50bと後壁50cとを底部・後壁押圧部56により上方より押圧させて、底部受け部54及び後壁押圧部55と協働して結露等受樋50を狭持させることにより、結露等受樋50を容易にアーチ状フレーム８の所望の位置、すなわち、結露Ｄ等が生じやすい位置に取り付けることができる。
【００６１】
この際、結露等受樋50が長尺に形成されている場合にも、底部・後壁押圧部56によりバランス良く安定させて支持することができて、かかる結露等受樋50により結露Ｄ等を確実に所定の排出場所に排出することができる。
【００６２】
ここで、従来は、結露Ｄ等がビニールシートＣの内面に生じた場合には、かかる結露Ｄ等が栽培している作物やその近傍に滴下して、同作物に悪影響を与えるという不具合を生じていたが、本発明では、結露等受樋50をアーチ状フレーム８の所望の位置に配置することができて、同結露等受樋50を通して結露Ｄ等を所定の排出場所に排出することができるため、かかる不具合の発生を確実に防止することができる。
【００６３】
【発明の効果】
本発明によれば、次のような効果が得られる。
【００６４】
（１）請求項１記載の本発明では、ビニールシート押さえ装置は、アーチ状屋根部の左右側方位置において、同アーチ状屋根部に沿わせて前後方向に伸延する左右一対の回転芯体と、両回転芯体間に前後方向に間隔を開けて連結した複数の煽り防止体と、同煽り防止体を一体的に緊張・弛緩させるべく回転芯体を正・逆回転させるための回転操作手段とを装備し、回転操作手段は、回転芯体に連動連結して、同回転芯体を一体的に正・逆回転させるべく支持された回転支軸と、同回転支軸の逆回転を防止する逆回転防止機構と、同逆回転防止機構の逆回転防止機能を解除する逆回転防止解除機構とを具備すると共に、逆回転防止解除機構に悪戯等防止部を設け、同逆回転防止解除機構による逆回転防止機能の解除操作に先立って悪戯等防止部を操作しなければ、逆回転防止機能が解除されないようにしている。
【００６５】
このようにして、複数の煽り防止体を一体的に緊張させる際には、例えば、回転操作手段の回転支軸を正回転させて、複数の煽り防止体を回転芯体を介して巻き取ることにより、複数の煽り防止体を一体的に緊張させることができる。
【００６６】
この際、回転操作手段には、逆回転防止機構を設けているため、回転支軸の正回転操作を停止させても、その停止状態が保持されて、複数の煽り防止体の緊張状態を保持させることができる。
【００６７】
また、複数の煽り防止体を一体的に弛緩させる際には、あらかじめ逆回転防止機構の逆回転防止機能を逆回転防止解除機構により解除し、その後、回転操作手段の回転支軸を逆回転させて、複数の煽り防止体を回転芯体を介して巻き戻すことにより、複数の煽り防止体を一体的に弛緩させることができる。
【００６８】
この際、逆転防止解除機構には、悪戯等防止部を設けて、同逆回転防止解除機構による逆回転防止機能の解除操作に先立って悪戯等防止部を操作しなければ、逆回転防止機能が解除されないようにしているため、逆転防止解除機構を作動させることができない。
【００６９】
従って、悪戯防止部の操作を秘密状態にしておくことにより、子供等が悪戯等して煽り防止体を弛緩させるという不具合の発生を防止することができ、その結果、ビニールシートが風等に煽られて剥がれるという不具合の発生を防止することができる。
【００７０】
（２）請求項２記載の本発明では、逆回転防止機構は、回転支軸の外周面にラチェット歯車を同軸的に取り付ける一方、同ラチェット歯車の近傍位置にラチェット爪の基端部を枢支すると共に、同ラチェット爪の先端部に形成した爪部をラチェット歯車に噛合させて、回転支軸の逆回転を防止可能とし、逆回転防止解除機構は、ラチェット歯車の近傍位置に連動アームの基端部を枢支すると共に、同連動アームの先端部とラチェット爪の先端部との間に引張スプリングを介設する一方、連動アームの基端部に解除操作レバーの基端部を連動連設し、同解除操作レバーを弾性手段により回転付勢して、同解除操作レバーに連動連設した連動アームと引張スプリングとを介してラチェット爪の爪部がラチェット歯車に噛合する方向に弾性付勢し、かつ、解除操作レバーの解除方向への回転操作に連動して、ラチェット爪の弾性付勢を解除可能とし、悪戯等防止部は、ラチェット歯車を正回転させて、ラチェット爪の爪部を噛合解除方向へ回動移動させると共に、ラチェット歯車の歯先をラチェット爪の爪部の先端回動軌跡よりも上方位置まで回転移動可能とし、同回転移動操作がなされたところで、解除操作レバーが解除操作された場合にのみ、ラチェット歯車からラチェット爪が噛合解除されるようにしている。
【００７１】
このようにして、回転操作手段の逆回転防止機構と逆回転防止解除機構と悪戯等防止部とを、構造簡易にしてコンパクトに集中配置することができると共に、操作を簡単にすることができ、しかも、各機構と悪戯防止部をそれぞれ確実に機能させることができる。
【００７２】
（３）請求項３記載の本発明では、回転支軸に、同回転支軸を介してラチェット歯車を正・逆回転操作するための回転操作ハンドルを着脱自在に取り付けている。
【００７３】
このようにして、回転子軸に回転操作ハンドルを取り付けて、同回転操作ハンドルを正・逆回転操作することにより、回転支軸を楽に正・逆回転させることができる。
【００７４】
この際、悪戯等防止部は、回転操作ハンドルにより回転支軸を正回転させる必要性があり、全ての操作を終えた後に、同回転操作ハンドルを回転支軸から取り外しておけば、必然的に悪戯等防止部のロック（固定）が行えて、同悪戯等防止部による悪戯等防止効果を良好に確保することができる。
【図面の簡単な説明】
【図１】本発明にかかるビニールハウス棟の一部の正面図。
【図２】図１のＩ−Ｉ線矢視図。
【図３】ビニールシート押さえ装置の一部の拡大斜視図。
【図４】同ビニールシート押さえ装置の一部の拡大正面図。
【図５】同ビニールシート押さえ装置の一部の拡大側面図。
【図６】回転操作手段の断面正面図。
【図７】回転操作手段の断面側面図。
【図８】ビニールシート張設作業説明図（第１作業工程）。
【図９】ビニールシート張設作業説明図（第２作業工程）。
【図１０】ビニールシート張設作業説明図（第３作業工程）。
【図１１】ビニールシート張設作業説明図（第４作業工程）。
【図１２】ビニールシート張設作業説明図（第５作業工程）。
【図１３】ビニールシート張設作業説明図（第６作業工程）。
【図１４】回転芯体受け体の正面図。
【図１５】同回転芯体受け体の変容例の正面図。
【図１６】結露等受樋の使用状態を示す斜視図。
【図１７】同結露等受樋の使用状態を示す側面説明図。
【図１８】結露等受樋を取り付けるための取付体の正面図。
【図１９】同取付体の平面図。
【図２０】同取付体の側面図。
【符号の説明】
Ａ  ビニールハウス棟
１  ビニールハウス棟本体
２  アーチ状屋根部
３  谷部
４  支柱
５  支持枠体
６  壁部
７  扉部
８  アーチ状フレーム
【図１】
0003777418.tif 000002
【図２】
0003777418.tif 000003
【図３】
0003777418.tif 000004
【図４】
0003777418.tif 000005
【図５】
0003777418.tif 000006
【図６】
0003777418.tif 000007
【図７】
0003777418.tif 000008
【図８】
0003777418.tif 000009
【図９】
0003777418.tif 000010
【図１０】
0003777418.tif 000011
【図１１】
0003777418.tif 000012
【図１２】
0003777418.tif 000013
【図１３】
0003777418.tif 000014
【図１４】
0003777418.tif 000015
【図１５】
0003777418.tif 000016
【図１６】
0003777418.tif 000017
【図１７】
0003777418.tif 000018
【図１８】
0003777418.tif 000019
【図１９】
0003777418.tif 000020
【図２０】
0003777418.tif 000021